【事件の表示】
　特願２０１４−　３６３５１号「掃除機ヘッド」拒絶査定不服審判事件〔平成２６年　７月１０日出願公開、特開２０１４−１２８７０２号〕について、次のとおり審決する。
【結　論】
　本件審判の請求は、成り立たない。
【理　由】
第１　手続の経緯
　本願は、平成２２年６月９日（パリ条約による優先権主張２００９年６月９日、英国（ＧＢ））に出願した特願２０１０−１３２２３６号の一部を平成２６年２月２７日に新たな特許出願としたものであって、平成２７年２月２０日付けで拒絶の理由が通知され、これに対して平成２７年８月２０日に意見書が提出され、その後、平成２８年２月１日付けで拒絶の理由が通知され、これに対して平成２８年５月９日に意見書が提出されたが、平成２８年１０月３１日付けで拒絶査定がされ、これに対して平成２９年３月６日に拒絶査定不服審判が請求されたものである。
第２　本願発明
　本願の請求項１ないし１４に係る発明は、願書に添付された明細書、特許請求の範囲及び図面の記載によれば、特許請求の範囲の請求項１ないし１４に記載された事項により特定されるものと認められるところ、請求項１に係る発明（以下「本願発明」という。）は、以下のとおりのものである。
「【請求項１】
　表面処理電気器具のための攪拌装置であって、
　１ｘ１０-5から１ｘ１０12Ω／ｓｑの範囲の表面抵抗率を有する剛毛の少なくとも１つの実質的に連続な列が本体から外向きに延びた回転可能な本体、を含み、前記剛毛は、炭素繊維から形成されており、前記回転可能な本体は、更に別の表面攪拌手段を含むことを特徴とする装置。」
第３　引用刊行物
　１　刊行物１
（１）刊行物１の記載
　原査定の拒絶の理由に引用された刊行物であって、本願の優先日前に頒布された刊行物である特開２００２−１３６４５７号公報（以下「刊行物１」という。）には、図面と共に以下の事項が記載されている。
　ア　「【０００１】
【発明の属する技術分野】本発明は家庭用電動掃除機、特に被掃除面に空気を吹付けて塵埃を浮遊させ、それを吸引する排気循環式掃除機に関するものである。
・・・略・・・
【０００７】これに対し、図９のような従来の排気循環式掃除機では、吸引式掃除機が抱える上述の問題は回避できるものの、正圧の排気を吸引ノズル内に返送するため、これにより吸引力の強い部分（高負圧域）が狭められ、マットやフローリングなどの表面に静電気で吸着している髪の毛やペット毛等を集塵するのに、吸引力が不足するという問題があった。そしてこの静電気対策として、従来吸込ノズルに除電部を設けて除電を行うという提案もあるが、一般的な除電にすぎず、排気循環式掃除機で役立つような効果的な除電効果は期待できないものであった。このように、排気循環式掃除機は電動送風機３９の出力を比較的小さくできるという利点はあるものの、吸込部３７内を高真空にして外部の空気を大量に吸引するものではなく、静電気で吸着している塵埃を吸引するのはかなり難しいものであった。
【０００８】そこでこのような従来の問題点を解決するために、本発明は、室内の空気を汚すことなく掃除を行なうことができ、マットやフローリング表面に静電気によって吸着している髪の毛やペット毛等も確実に集塵する排気循環式掃除機を提供することを目的とする。」（段落【０００１】ないし【０００８】）
　イ　「【００２７】（実施の形態１）図１は本発明の実施の形態１における排気循環式掃除機の全体構成図を示す。図２は本発明の実施の形態１における排気循環式掃除機の吸込ノズルの拡大図で、図３は本発明の実施の形態１における排気循環式掃除機の吸込ノズル底面の拡大図である。
【００２８】図１において、１は被掃除面の１つである床面である。２は吸込ノズル、３はノズル継手、４は掃除機本体、５は集塵室、６は集塵フィルタである。７はファンケーシング、８は吸込ファン、９は吸込ファン吸込口、１０はモータ、１１は吸込ファン吐出口である。そして、ファンケーシング７、吸込ファン８、吸込ファン吸込口９、モータ１０、吸込ファン吐出口１１が本実施の形態１の排気循環式掃除機の電動送風機を構成するものである。
【００２９】１２は掃除機本体４に設けられた第１排気通路、１３は操作用の取手、１４は掃除機を起動したり、停止するための動作スイッチ、１５はモータ１０などに給電する電源コードである。１６は、吸込ノズル２内の第１排気通路１２の端部に設けられ、床面１に排気を吹き付けることができる第１吹付部である。１７は吸込ノズル２内で第１吹付部１６により２分割された一方の第１吸込室、１８は同じく第１吹付部１６により２分割された他方の第２吸込室である。１９は第１吸込室１７に設けられた第１吸込口、２０は第２吸込室１８に設けられた第２吸込口である。この第１吸込口１９と第２吸込口２０によって床面１を覆った吸込ノズル２内の空気を吸込ファン８の作用で吸引する。２１は第１吸込室１７を床面１に向けて開口された第１開口、２２は第２吸込室１８を床面１に向けて開口された第２開口である。
【００３０】２３は、第１吹付部１６の前方で第１吸込室１７側壁面に設けられ、静電気を除電するために導電性材料で形成された第１除電部材である。第１除電部材２３の先端は床面１と微小距離の位置に置かれている。２４はローラ、２５は第１除電部材２３の両端に設けられた第２排気通路である。」（段落【００２７】ないし【００３０】）
　ウ　「【００３６】図２、図３において、本実施の形態１の排気循環式掃除機を用いて吸引する時の吸込ノズル２の動作、作用について説明する。循環風は、第１排気通路１２を通り第１吹付部１６から床面１に矢印ｄ１で示すように吹付けられ、床面１で流れの向きを変えるが、床面１上の塵埃はこのときの動圧（衝撃力）で巻き上がり、第１吸込室１７及び第２吸込室１８内でそれぞれ浮遊状態となる。このとき吸込ファン８が運転されているから、塵埃はこの吸引作用で矢印ｅおよび矢印ｆで示すように第１吸込口１９および第２吸込口２０を通って吸込まれる。
【００３７】第１吹付部１６を吸込ノズル２の中間に設けて吸込ノズル２内を２つに分割しているのは、第１に、第１吸込室１７で集塵できなかった塵埃を、吸込ノズル２の走行により再度第２吸込室１８内で第２段目の集塵することで集塵能力の向上を図るためである。また、第２の理由として、床面１に吹付けられた後に様々な方向に反射する循環風を前後２室で分けて吸込むことで、吸込ノズル２からの循環風の漏れ防止が図れることがあげられる。例えば、吸込ノズル２の先頭に第１吹付部１６を設けると、第１吹付部１６の前方への流れは外部への漏れとなるが、第１吹付部１６を吸込ノズル２の中間に設けることで漏れ防止が可能になるものである。
【００３８】ところで、床面１にはフローリング、畳、絨毯、塩ビマット等、様々な種類があり、それに散在する塵埃も、砂や埃、人間やペット等の体毛、木綿や羊毛やアクリル等の化学繊維の糸屑、食物の欠片等、多種多様なものが存在する。これらの床面１と塵埃との組合せで、帯電系列の離れた、例えば塩ビマット上に人毛やペット毛、ポリプロピレン性の絨毯上にナイロンの糸屑等の組合せができ、しかも冬場の室内のような低温低湿度の環境であればあるほど、床面１と塵埃の間に摩擦帯電や剥離帯電による静電気が発生し、塵埃が床面１上に吸着された状態となり、掃除機で集塵することが非常に困難になってしまう。とくに排気循環式掃除機は正圧の循環風を吸込ノズル２に戻すから、吸込ノズル２内の負圧域は比較的狭くなり、静電気で吸着している塵埃を吸引するには、更に動圧を上げるか、静電気を除電するしかない。
【００３９】そこで、本発明の実施の形態１における排気循環式掃除機においては、第１吹付部１６の前方で第１吸込室１７側壁面に、導電性材料で形成された第１除電部材２３を設置し、これにより床面の静電気をコロナ放電等で除去し、静電気の発生した床面での集塵性能の向上を図っている。ここでの第１除電部材の材料としては、ステンレス等の金属繊維、アクリルもしくはナイロン繊維の表面にＣｕ9Ｓ5等の導電性皮膜を形成した導電性皮膜繊維、カーボン繊維、カーボン複合繊維、導電性ゴム、導電性シリコン、導電性ウレタン等があげられる。また例えば、導電性皮膜繊維とナイロン繊維等を混合した混毛繊維（混合材料）等を使用することも可能で、この場合はナイロン繊維が導電性皮膜繊維を保護するため、耐摩耗性が向上する。」（段落【００３６】ないし【００３９】）
　エ　「【００４３】（実施の形態２）本発明の実施の形態２における排気循環式掃除機について、図面に基づいて以下説明する。図７は、本発明の実施の形態２における排気循環式掃除機の全体構成図である。実施の形態２の排気循環式掃除機において、実施の形態１の排気循環式掃除機と同符号の部材は基本的に同一のものであるから、詳細な説明は実施の形態１に譲ってここでは省略する。
【００４４】図７において、３０は回転ブラシ、３１は第１排気通路１２から分岐された第２吹付部、３２は第２除電部材、３３は保持溝、３４は回転軸、３５は保持部材、３６は掃除機本体である。本実施の形態２の排気循環式掃除機において、実施の形態１の排気循環式掃除機と異なる点は、第１吸込室１７内部に、回転ブラシ３０、第２吹付部３１、保持部材３５、保持溝３３、第２除電部材３２を有している点である。回転ブラシ３０は回転ブレード（図示せず）でもよいし、回転ブラシ３０と回転ブレードの双方が一緒に設けられるのでも、両者が混在した形態でもよい。
【００４５】次に本実施の形態２の排気循環式掃除機を用いて吸引する時の吸込ノズル２の動作、作用について説明する。動作スイッチ１４を入れると実施の形態１と同様の動作が行われるとともに、回転ブラシ３０が回転する。回転ブラシ３０は、小型のモータ（図示せず）を吸込ノズル２内部に設置してタイミングベルトなどで連結し回転させてもよいし、第２吹付部によって吹付けられる循環風を利用し風力によって回転させてもよい。この回転ブラシ３０の回転による衝撃力が付加されることにより、絨毯の内部に混入した塵埃も掻き出すことが可能となり、集塵性能がさらに向上する。また回転ブラシ３０のブラシ部を導電性材料で形成した場合は、床面１と接触する前後においてコロナ放電し、床面１の静電気除去性能がさらに向上する。
【００４６】この回転ブラシ３０のブラシ部の導電性材料として、ステンレス等の金属ブラシ、アクリルもしくはナイロンの表面にＣｕ9Ｓ5等の導電性皮膜を形成した導電性皮膜ブラシ、カーボンブラシ、カーボン複合ブラシ、導電性皮膜ブラシとナイロンブラシ等を混合した混毛ブラシ（混合材料）等をあげることができる。また回転ブレード３０を用いた場合でブレード部に導電性材料を用いる場合は、導電性ゴム、導電性シリコン、導電性ウレタン等が適当である。
【００４７】また回転ブラシ３０を第１吸込室１７に設置した場合、第１吸込室１７の容量は回転ブラシ３０を設置する分だけ容量が余分に必要となるが、第１吸込室１７の容量は小さくするほど好ましい。その理由は、第１吸込室１７の容量が大きいと第１吸込室１７内の風速が低下するからである。しかし、過度に小型化を図ると、回転ブラシ３０が第１除電部材２３に接近し過ぎ、比較的大きさの大きい塵埃が集塵できなくなる。従って回転ブラシ３０と第１除電部材２３の間の間隔には適度の距離を開けることが必要であって、例えば回転ブラシ３０の直径が３０ｍｍ程度であれば、回転ブラシ３０と床面との接触点から第１除電部材２３まで距離は１５〜２０ｍｍ程度に設定するのが好ましい。
【００４８】また、図８の本発明の実施の形態２における排気循環式掃除機の吸込ノズル底面の拡大図に示すように、回転ブラシ３０の片側端部に突出された回転軸３４を保持する吸込ノズル２の一部を保持部材３５とし、脱着可能とすれば回転ブラシ３０の洗浄や交換にかかるメンテナンスが容易となる。このとき第１除電部材２３を図６に示すような形態とし、吸込ノズル２に保持溝３３を設け、第１除電部材２３の金属板２９の両端部のみを固定する構成とすれば、保持部材３５により回転ブラシ３０と併せて第１除電部材２３の脱着が可能となる。
【００４９】第２吹付部３１は、矢印ｄ３で示すように第１吸込室１７に循環風を吹付けるが、この循環風は第１吹付部から吹付けられる矢印ｄ２で示す循環風と逆方向であるため、これを抑制し吸込ノズル２前方からのエアー漏れの防止が容易となる。
【００５０】第２除電部材３２は、矢印ｄ１で示す循環風の吸込ノズル２後方からのエアー漏れの防止を行うとともに、これを導電性材料で形成した場合は第１吹付部１６から吹出される循環風により静電気が発生しても、これを除電することが可能で、清掃終了後も床面１に静電気を残すことがない。第２除電部材の材料としては、上述した第１除電部材と同様の材料を用いることができる。」（段落【００４３】ないし【００５０】）
　オ　「【００５５】請求項５に記載の排気循環式掃除機は、第１除電部材がカーボン繊維であるから、材質的に非常に高い静電気の除去性能を得ることができ、静電気の発生した掃除面での往復回数を減らし無駄の無い掃除ができるため、省エネの掃除機にすることができる。」（段落【００５５】）
　カ　「【００５８】請求項８に記載の排気循環式掃除機は、回転ブラシのブラシ部材及び／または回転ブレードのブレード部材が導電性材料で形成されているので、回転ブラシ及び／または回転ブレードにも静電気除去能力を付加することで、更なる静電気除去能力の向上が可能となり、静電気の発生した掃除面での往復回数を減らし無駄のない掃除ができるため、省エネの掃除機にすることができる。」（段落【００５８】）
（２）上記（１）及び図面の記載から分かること
　ア　上記（１）アないしカの記載並びに図１ないし３、７及び８の記載によれば、刊行物１には、排気循環式掃除機のための回転ブラシ３０が記載されていることが分かる。
　イ　上記（１）エの記載並びに図７及び８の記載によれば、刊行物１には、導電性材料で形成したブラシ部とブラシ部が取り付けられる回転可能な本体の部分（以下「本体部」という。）を含み、回転可能な本体部において、ブラシ部が本体部から外向きに延びた態様である回転ブラシ３０が記載されていることが分かる。
（３）引用発明
　上記（１）及び（２）を総合して、本願発明の表現に倣って整理すると、刊行物１には、次の事項からなる発明（以下「引用発明」という。）が記載されていると認める。
「排気循環式掃除機のための回転ブラシ３０であって、
　ブラシ部が本体部から外向きに延びた回転可能な本体部、を含み、前記ブラシ部は、導電性材料から形成されている回転ブラシ３０。」
　２　刊行物２
（１）刊行物２の記載
　原査定の拒絶の理由に引用された刊行物であって、本願の優先日前に頒布された刊行物である特開２０００−６０７７５号公報（以下「刊行物２」という。）には、図面と共に以下の事項が記載されている。
　ア　「【０００１】
【発明の属する技術分野】本発明は、電気掃除機用吸込具及び前記吸込具を用いた電気掃除機に関するものである。
【０００２】
【従来の技術】従来この種の電気掃除機用吸込具は、図１０〜１２に示すようなものが一般的であった。吸込具本体内１にアジテ−タ−２を内設し、上記アジテタ−２は、回転自在な回転子３と、上記回転子の周囲長手方向に複数設けられた突状帯４および微細繊維のカットパイル状の紡績布から成る起毛布ブラシ体５等から構成され、電動モ−タ−（図示せず）あるいは吸込風を利用したエアタ−ビン（図示せず）等を駆動源として利用して上記アジテ−タ−２が回転し、床面６や絨毯面７などの掃除面に突状帯４およびブラシ体５を衝突させることにより、ごみをかきあげ掃除している。
【０００３】
【発明が解決しようとする課題】しかしながら、従来のアジテ−タ−の構成では、図１１に示すようにブラシ体の先端部は床面と当接するよう設定されているため、絨毯面上では図１２に示すようにブラシ体５の毛先のカット端面５ａが回転方向の後方に逃げることにより、ごみをかきあげる力が低減する等の課題を有していた。
【０００４】本発明は以上のような従来の課題を解決するものであって、特に絨毯上でのごみのかきあげ力を改良し、集塵性能の向上を図った電気掃除機用吸込具を提供することを目的としている。
【０００５】
【課題を解決するための手段】本発明は、上記課題を解決するために、回転自在のアジテ−タ−を内設し、前記アジテ−タ−を回転子と、前記回転子の周囲の長手方向に設けたブラシ体で形成し、前記ブラシ体を突出代の異なるブラシ群で構成としたものである。」（段落【０００１】ないし【０００５】）
　イ　「【００１５】
【実施例】以下、本発明の第１の実施例を、図１〜３を用いて説明する。図１、２、３において、吸込具本体１１は上部枠体１２と下部枠体１３にて構成されており、内部に集塵室１４を有し、上記集塵室１４の掃除面方向には下部枠体１３に開口１５が設けられている。そして、吸込具後部にはパイプ１６を有し、上記パイプ１６内部には前記集塵室１４から吸引口１７を介し電気掃除機本体３２よりの吸引を伝達する通路１８が設けられている。また、上記集塵室１４内にアジテ−タ−１９を内設し、上記アジテ−タ−１９は、回転自在な回転子２０と、上記回転子２０の周囲の長手方向に連続した溝部２１を複数設け、上記溝部２１に突状帯２２およびブラシ体２３を嵌着して形成されている。上記ブラシ体２３は、本発明では微細繊維のカットパイル状の紡績布から成る起毛布ブラシ体を用いており、突出代の異なる２種類のブラシ群から一体にて構成され、突出代の大きいブラシ群２４の先端部は床面２５と当接する長さに設定し、上記突状帯２２の先端部と突出代の小さいブラシ群２６先端部が絨毯面２７に当接する長さに設定してある。
【００１６】上記構成による動作、作用は以下の通りである。アジテ−タ−１９は電動モ−タ−（図示せず）あるいは吸込風を利用したエアタ−ビン（図示せず）等の駆動源により回転する。突出代の大きいブラシ群２４の先端部は床面２５と当接するよう設定し、突状帯２２と突出代の小さいブラシ群２６先端部は絨毯面２７に当接するよう設定してあるため、上記アジテ−タ−１９の回転時、床面２５上では突出代の大きいブラシ群２４の毛先カット面が床面２５をはきだすように相対的に移動することにより床面２５に付着しているごみのかきあげを行う。また、絨毯面２７においては、突状帯２２の先端部と突出代の小さいブラシ群２６の毛先カット面が絨毯面２７をかきわけるように相対的に移動することで、絨毯面２７に付着しているごみのかきあげが行え、床面２５と絨毯面２７のいずれの場合にもそれぞれ適した長さのブラシ群を一個のブラシ体に同時に設けたことにより、回転子へのブラシ体の挿入工数増加等のコストアップも生ずることなく、すべての掃除面を効率良く掃除できるものである。」（段落【００１５】ないし【００１６】）
（２）上記（１）及び図面の記載から分かること
　ア　上記（１）ア及びイの記載並びに図１ないし３及び１０ないし１２の記載によれば、刊行物２には、電気掃除機のためのアジテーターが記載されていることが分かる。
　イ　上記（１）ア及びイの記載並びに図１ないし３及び１０ないし１２の記載によれば、刊行物２に記載されたアジテーターにおいて、ブラシ体とは別に回転子に設けられた突状帯は、絨毯面に付着しているごみのかきあげを行うことが分かる。
（３）刊行物２記載の技術
　上記（１）及び（２）を総合すると、刊行物２には、次の事項からなる技術（以下「刊行物２記載の技術」という。）が記載されていると認める。
「電気掃除機のためのアジテーターにおいて、ブラシ体を設けた回転子に、更に突状帯を設け、絨毯面に付着しているごみのかきあげを行うこと。」
第４　対比
　本願発明と引用発明とを、その機能、構造又は技術的意義を考慮して対比する。
・本願発明の「表面処理電気器具」は、本願の明細書の段落【００１２】における「用語「表面処理電気器具」は、広範囲の意味を有することが意図され、かつ何らかの方式で表面を清掃するか又は処理するために表面にわたって作業するための本体及びヘッドを有する広範囲の機械を含む。それは、特に、カーペット掃除機のような単に表面を攪拌する機械と、表面から物質を引き込むための真空掃除機（乾式、湿式、及び湿式／乾式）のような表面に対して吸引を印加するだけの機械と、研磨／ワックス機械、圧力洗浄機、及びシャンプー機械のような表面に対して材料を適用する機械とを含む。」との記載によれば、引用発明の「排気循環式掃除機」を含むことから、引用発明の「排気循環式掃除機」は、本願発明の「表面処理電気器具」に相当する。
・引用発明の「回転ブラシ３０」は、本願発明の「攪拌装置」及び「装置」に相当する。
・引用発明の「ブラシ部」は、本願発明の「剛毛の少なくとも１つの実質的に連続な列」に、「剛毛の部材」という限りにおいて一致する。
・引用発明の「本体部」は、本願発明の「本体」に相当する。
・引用発明の「ブラシ部は、導電性材料から形成されている」は、本願発明の「剛毛は、炭素繊維から形成されて」いることに、「剛毛は、導電性材料から形成されて」いるという限りにおいて一致する。
　したがって、両者は、
「表面処理電気器具のための攪拌装置であって、
　剛毛の部材が本体から外向きに延びた回転可能な本体、を含み、前記剛毛は、導電性材料から形成されている装置。」
の点で一致し、以下の点で相違している。
［相違点１］
　本願発明は、剛毛が「１ｘ１０-5から１ｘ１０12Ω／ｓｑの範囲の表面抵抗率を有する」のに対して、引用発明は、表面抵抗率が特定されていない点（以下「相違点１」という。）。
［相違点２］
　本願発明は、剛毛の部材が「剛毛の少なくとも１つの実質的に連続な列」であるのに対して、引用発明のブラシ部は、そのようになっているか否か不明である点（以下「相違点２」という。）。
［相違点３］
　本願発明は、剛毛が「炭素繊維」から形成されているのに対して、引用発明のブラシ部は、炭素繊維から形成されているとまでは特定されていない点（以下「相違点３」という。）。
［相違点４］
　本願発明は、回転可能な本体が「更に別の表面攪拌手段」を含むのに対して、引用発明は、「更に別の表面攪拌手段」を含んでいない点（以下「相違点４」という。）。
第５　判断
　１　相違点の検討
（１）相違点１及び３について
　刊行物１には、上記第３の１（１）エにおける段落【００４６】の記載によれば、回転ブラシ３０のブラシ部にカーボンブラシを用いることが例示されているところ、同刊行物１における上記第３の１（１）ウの段落【００３９】の記載によれば、床面の静電気を除去するための除電部材の材料として、「カーボン繊維」を使用することが示唆され、しかも、静電気を除去するためのカーボンブラシを炭素繊維より構成することが、本願の優先日前に周知の技術（以下「周知技術１」という。例えば、実願昭５６−１６９１６６号（実開昭５８−７５３０９号）のマイクロフィルム（特に、明細書１０ページ２ないし１４行）、特開２００２−７８９５１号公報（特に、段落【００１４】及び【００２２】並びに図３及び５）、特開２００１−３４０６１３号公報（特に、段落【０００７】及び【００２３】並びに図５及び７）を参照。）であることを考慮すると、引用発明において、ブラシ部を炭素繊維から形成することは、当業者が適宜なし得たことである。
　また、引用発明において、回転ブラシ３０（攪拌装置）のブラシ部の導電性材料について、床面１の静電気を除去するために、表面抵抗率を好適化することは、当業者が当然に考慮することである。
　そして、本願発明において、剛毛の表面抵抗率を１ｘ１０-5から１ｘ１０12Ω／ｓｑの範囲としたのは、本願明細書の段落【０００５】に記載されているように、清掃される床面上に存在する静電気が剛毛と床面の間の接触時に放電することを可能にするという効果を奏するためであり、その効果は引用発明の回転ブラシ３０（攪拌装置）のブラシ部による、床面の静電気を除去する効果と同質の効果といえるところ、本願発明が、剛毛の表面抵抗率を１ｘ１０-5から１ｘ１０12Ω／ｓｑの範囲としたことについては、これによって際だって優れた効果を奏するものと認めることができず、本願発明の上記効果を奏し得る範囲を示した以上の格別な技術的意義を認めることができない。
　そうすると、引用発明において、ブラシ部を炭素繊維から形成し、その表面抵抗率を１ｘ１０-5から１ｘ１０12Ω／ｓｑの範囲とし、上記相違点１及び３に係る本願発明の発明特定事項とすることは、当業者にとって格別困難ではない。
（２）相違点２について
　掃除機に用いられる回転ブラシにみられるような表面処理電気器具のための攪拌装置において、剛毛の少なくとも１つの実質的に連続な列が回転可能な本体から外向きに延びた構成とすることは、本願の優先日前に周知の技術（以下「周知技術２」という。例えば、刊行物２（特に、段落【００１５】及び【００１６】並びに図１ないし３）及び特開２００３−５２５８４号公報（特に、段落【００１７】及び【００１８】並びに図１及び３）を参照。）であり、引用発明において、ごみの除去を確実に行うべく、周知技術２を適用して、ブラシ部を「剛毛の少なくとも１つの実質的に連続な列」とし、上記相違点２に係る本願発明の発明特定事項とすることは、当業者が適宜なし得たことである。
（３）相違点４について
　表面処理電気器具である掃除機において、絨毯面に付着しているごみの除去を確実に行うことは、本願の優先日前において周知の課題であって、引用発明においても当然に考慮すべき内在する課題である。
　一方、刊行物２記載の技術は、ブラシ体と共に突状帯（本願発明の「別の表面攪拌手段」に相当。）を回転子（本願発明の「回転可能な本体」に相当。）に設けることで、絨毯面に付着しているごみのかきあげを行うものであり、絨毯面に付着しているごみの除去を確実に行うことを期待できるのであるから、引用発明において、刊行物２記載の技術を適用し、ブラシ部が本体部から外向きに延びた回転可能な本体部（本願発明の「回転可能な本体」に相当。）が更に突状帯（別の表面攪拌手段）を含むようにし、上記相違点４に係る本願発明の発明特定事項とすることは、当業者にとって格別困難ではない。
　なお、請求人は、審判請求書において、「引用文献１と引用文献２の開示を組み合わせると、その組み合わせは当然にこの静電ストリップを含むことになろう。したがって、引用文献１、２の開示に基づいたとき、当業者は、さらにこの静電ストリップをあえて除去して、本願発明にあるように、回転可能な本体に更に別の表面攪拌手段を設けようとはしないであろう。」と主張し、また、「引用文献１においては、静止第１除電部材によって課題は簡易な仕方で解決済みであり、随意的特徴である回転ブラシ３０に、更に別の攪拌手段を設けようとする動機付けは働かない。」と主張する。
　しかしながら、上述したとおり、引用発明において、絨毯面に付着しているごみの除去を確実に行うという内在する課題によって、刊行物２記載の技術を適用する動機付けはあるから、請求人の上記主張は採用することができない。
　２　効果について
　そして、本願発明は、全体としてみても、引用発明、刊行物２記載の技術並びに周知技術１及び２から予測される以上の格別な効果を奏するものではない。
　３　まとめ
　したがって、本願発明は、引用発明、刊行物２記載の技術並びに周知技術１及び２に基いて、当業者が容易に発明をすることができたものであるから、特許法第２９条第２項の規定により特許を受けることができない。
第６　むすび
　以上のとおり、本願発明は、特許法第２９条第２項の規定により特許を受けることができないから、他の請求項に係る発明について検討するまでもなく、本願は拒絶すべきものである。
　よって、結論のとおり審決する。